(57)【要約】【課題】ユーザの利便性を向上させることが可能な画像処理装置および画像形成装置を提供する。【解決手段】画像処理装置は、ユーザによる操作に応じて得られる操作信号に基づいて、少なくとも基本設定項目をそれぞれ含む複数の設定画面を用いて構成された階層化設定メニューにおける設定画面の表示制御を行う制御部を備えている。この制御部は、複数の設定画面のうちの一の設定画面に属する基本設定項目が、複数の設定画面のうちの他の設定画面に属する基本設定項目である関連設定項目と対応付けられている場合には、一の設定画面に属する基本設定項目とともに、関連設定項目における項目内容およびその設定内容がそれぞれ一の設定画面内に表示されるように、表示制御を行う。【選択図】図３
2015210559.tif 000002
【特許請求の範囲】
【請求項１】
ユーザによる操作に応じて得られる操作信号に基づいて、少なくとも基本設定項目をそれぞれ含む複数の設定画面を用いて構成された階層化設定メニューにおける前記設定画面の表示制御を行う制御部を備え、
前記制御部は、
前記複数の設定画面のうちの一の設定画面に属する前記基本設定項目が、前記複数の設定画面のうちの他の設定画面に属する前記基本設定項目である関連設定項目と対応付けられている場合には、
前記一の設定画面に属する前記基本設定項目とともに、前記関連設定項目における項目内容およびその設定内容がそれぞれ前記一の設定画面内に表示されるように、前記表示制御を行う
画像処理装置。
【請求項２】
前記制御部は、
前記一の設定画面に属する前記基本設定項目が前記関連設定項目と対応付けられている場合には、
前記一の設定画面内に、前記一の設定画面から前記他の設定画面への遷移を実行させるための遷移操作部が更に表示されるように、前記表示制御を行う
請求項１に記載の画像処理装置。
【請求項３】
前記制御部は、
所定の条件に該当すると判定された場合には、
前記遷移操作部を利用した前記遷移が禁止されるように、前記表示制御を行う
請求項２に記載の画像処理装置。
【請求項４】
前記所定の条件が、閾値回数以降の前記遷移である
請求項３に記載の画像処理装置。
【請求項５】
前記複数の設定画面にはそれぞれ、固有の識別データが付与されており、
前記制御部は、前記一の設定画面の直前に表示された設定画面における前記識別データを用いて、前記閾値回数以降の前記遷移に該当するのか否かを判定する
請求項４に記載の画像処理装置。
【請求項６】
前記所定の条件が、所定の遷移経路の経由である
請求項３に記載の画像処理装置。
【請求項７】
前記所定の遷移経路が、循環経路である
請求項６に記載の画像処理装置。
【請求項８】
前記複数の設定画面にはそれぞれ、固有の識別データが付与されており、
前記制御部は、前記設定画面の遷移履歴に相当する前記識別データの時系列情報を用いて、前記所定の遷移経路の経由に該当するのか否かを判定する
請求項６または請求項７に記載の画像処理装置。
【請求項９】
前記遷移操作部が、ボタン状の第１オブジェクトを用いて構成されている
請求項２ないし請求項８のいずれか１項に記載の画像処理装置。
【請求項１０】
前記制御部は、前記関連設定項目における前記項目内容および前記設定内容がそれぞれ、第２オブジェクトを含んで表示されるように、前記表示制御を行う
請求項１ないし請求項９のいずれか１項に記載の画像処理装置。
【請求項１１】
前記制御部は、前記基本設定項目および前記関連設定項目のうちの少なくとも一方が、それらの内容表示とユーザへの自装置の使用案内表示とを兼ねる第３オブジェクトを含んで表示されるように、前記表示制御を行う
請求項１ないし請求項１０のいずれか１項に記載の画像処理装置。
【請求項１２】
前記操作に応じて前記操作信号を生成して前記制御部へ供給すると共に、前記表示制御に従って前記階層化設定メニューにおける前記設定画面の表示を行う操作パネルを更に備えた
請求項１ないし請求項１１のいずれか１項に記載の画像処理装置。
【請求項１３】
画像形成部と、
ユーザによる操作に応じて得られる操作信号に基づいて、少なくとも基本設定項目をそれぞれ含む複数の設定画面を用いて構成された階層化設定メニューにおける前記設定画面の表示制御を行う制御部と
を備え、
前記制御部は、
前記複数の設定画面のうちの一の設定画面に属する前記基本設定項目が、前記複数の設定画面のうちの他の設定画面に属する前記基本設定項目である関連設定項目と対応付けられている場合には、
前記一の設定画面に属する前記基本設定項目とともに、前記関連設定項目における項目内容およびその設定内容がそれぞれ前記一の設定画面内に表示されるように、前記表示制御を行う
画像形成装置。
【請求項１４】
前記一の設定画面が、両面コピー設定画面または綴じ代設定画面であり、
前記関連設定項目が属する前記他の設定画面が、原稿方向設定画面である
請求項１３に記載の画像形成装置。
【請求項１５】
前記一の設定画面が、集約コピー設定画面であり、
前記関連設定項目が属する前記他の設定画面が、トレイ選択設定画面、両面コピー設定画面および原稿方向設定画面である
請求項１３に記載の画像形成装置。
【発明の詳細な説明】
【技術分野】
【０００１】
本発明は、階層構造の設定メニュー（階層化設定メニュー）を有する画像処理装置および画像形成装置に関する。
【背景技術】
【０００２】
画像処理装置や画像形成装置では一般に、それらの設定メニューが階層構造により構成されている（例えば、特許文献１）。
【先行技術文献】
【特許文献】
【０００３】
【特許文献１】特開２００７−１４８４８２号公報
【発明の概要】
【発明が解決しようとする課題】
【０００４】
ところで、このような画像処理装置や画像形成装置では一般に、ユーザの利便性を向上させることが望まれる。
【０００５】
本発明はかかる問題点に鑑みてなされたもので、その目的は、ユーザの利便性を向上させることが可能な画像処理装置および画像形成装置を提供することにある。
【課題を解決するための手段】
【０００６】
本発明の画像処理装置は、ユーザによる操作に応じて得られる操作信号に基づいて、少なくとも基本設定項目をそれぞれ含む複数の設定画面を用いて構成された階層化設定メニューにおける設定画面の表示制御を行う制御部を備えたものである。この制御部は、複数の設定画面のうちの一の設定画面に属する基本設定項目が、複数の設定画面のうちの他の設定画面に属する基本設定項目である関連設定項目と対応付けられている場合には、一の設定画面に属する基本設定項目とともに、関連設定項目における項目内容およびその設定内容がそれぞれ一の設定画面内に表示されるように、表示制御を行う。
【０００７】
本発明の画像形成装置は、画像形成部と、ユーザによる操作に応じて得られる操作信号に基づいて、少なくとも基本設定項目をそれぞれ含む複数の設定画面を用いて構成された階層化設定メニューにおける設定画面の表示制御を行う制御部とを備えたものである。この制御部は、複数の設定画面のうちの一の設定画面に属する基本設定項目が、複数の設定画面のうちの他の設定画面に属する基本設定項目である関連設定項目と対応付けられている場合には、一の設定画面に属する基本設定項目とともに、関連設定項目における項目内容およびその設定内容がそれぞれ一の設定画面内に表示されるように、表示制御を行う。
【発明の効果】
【０００８】
本発明の画像処理装置および画像形成装置によれば、ユーザの利便性を向上させることが可能となる。
【図面の簡単な説明】
【０００９】
【図１】本発明の一実施の形態に係る画像形成装置の概略構成例を表す物理ブロック図である。
【図２】図１に示した画像形成装置の詳細構成例を表す機能ブロック図である。
【図３】図１および図２に示した画像形成装置で用いられる設定メニューの一例を表す模式図である。
【図４】図２に示したデフォルトパラメータの一例を表す図である。
【図５】図２に示したカレントパラメータの一例を表す図である。
【図６】図３に示したホーム画面の構成例を拡大して表す模式図である。
【図７】図３に示したコピー画面の構成例を拡大して表す模式図である。
【図８】図７に示したコピー画面への操作時の表示制御動作の一例を表す流れ図である。
【図９】図３に示したカラーモード設定画面の構成例を拡大して表す模式図である。
【図１０】図３に示したトレイ選択設定画面の構成例を拡大して表す模式図である。
【図１１】図３に示した原稿方向設定画面の構成例を拡大して表す模式図である。
【図１２】図３に示した綴じ代設定画面の構成例を拡大して表す模式図である。
【図１３】図３に示した集約コピー設定画面の構成例を拡大して表す模式図である。
【図１４】図３に示した両面コピー設定画面の構成例を拡大して表す模式図である。
【図１５】比較例に係る設定画面の構成を表す模式図である。
【図１６】図８に示した設定画面の表示制御動作の一例を表す流れ図である。
【図１７】図３に示した設定メニューにおける設定画面間の遷移経路例を表す模式図である。
【図１８】図１７に示した遷移経路例における遷移の許可例を表す模式図である。
【図１９】図１７に示した遷移経路例における遷移の禁止例を表す模式図である。
【図２０】図１９に示した場合における両面コピー設定画面の一例を表す模式図である。
【図２１】変形例１に係る設定メニューにおける遷移の禁止例を表す模式図である。
【図２２】図２１に示した場合における識別データの時系列情報の一例を表す模式図である。
【図２３】変形例２に係る画像形成装置の概略構成例を表す物理ブロック図である。
【図２４】変形例３に係る画像処理装置の概略構成例を表す物理ブロック図である。
【図２５】変形例４に係る画像処理装置の概略構成例を表す物理ブロック図である。
【発明を実施するための形態】
【００１０】
以下、本発明の実施の形態について、図面を参照して詳細に説明する。なお、説明は以下の順序で行う。
１．実施の形態（遷移回数に応じて設定画面間での遷移を禁止する画像形成装置の例）
２．変形例
変形例１（循環経路の経由に該当する場合に遷移を禁止する画像形成装置の例）
変形例２（操作パネルを外部操作端末機内に設けるようにした画像形成装置の例）
変形例３，４（画像形成部を設けずに画像処理装置へ適用した場合の例）
３．その他の変形例
【００１１】
＜１．実施の形態＞
［構成］
図１は、本発明の一実施の形態に係る画像形成装置（画像形成装置１）の概略構成例を、物理ブロック図で表したものである。また、図２は、この画像形成装置１の詳細構成例を機能ブロック図で表したものである。
【００１２】
画像形成装置１は、図１および図２に示したように、ＣＰＵ（Central Processing Unit）１１ａ、ＲＯＭ（Read Only Memory）１１ｂ、ＲＡＭ（Random Access Memory）１２、ＨＤＤ（Hard Disk Drive）１３、操作パネル１４、ネットワークインタフェース１５および画像形成部１６を備えている。
【００１３】
（設定メニュー２）
また、この画像形成装置１は、例えば図３に模式的に示したように、階層構造の設定メニュー２を有している。この設定メニュー２とは、画像形成装置１を使用する際の各種の機能や条件等を設定または変更するために用いられるメニューである。この例では、設定メニュー２は、最上位階層（第１階層）に位置するホーム画面２０と、中間階層（第２階層）に位置するコピー画面２１と、最下位階層（第３階層）に位置する複数（６つ）の各種の設定画面（カラーモード設定画面２２１、トレイ選択設定画面２２２、原稿方向設定画面２２３、綴じ代設定画面２２４、集約コピー設定画面２２５および両面コピー設定画面２２６）とにより構成されている。なお、各画面の詳細構成例（拡大して表した表示例）については、後述する（図６，図７，図９〜図１４）。
【００１４】
また、設定メニュー２におけるこれらの画面にはそれぞれ、固有の識別データＩＤ（識別子）が予め付与されている。具体的には、この例では、ホーム画面２０には「０」という値の識別データＩＤ（ＩＤ：０）が付与され、コピー画面２１には「１」という値の識別データＩＤ（ＩＤ：１）が付与されている。また、カラーモード設定画面２２１には「２１」という値の識別データＩＤ（ＩＤ：２１）が付与され、トレイ選択設定画面２２２には「２２」という値の識別データＩＤ（ＩＤ：２２）が付与され、原稿方向設定画面２２３には「２３」という値の識別データＩＤ（ＩＤ：２３）が付与されている。綴じ代設定画面２２４には「２４」という値の識別データＩＤ（ＩＤ：２４）が付与され、集約コピー設定画面２２５には「２５」という値の識別データＩＤ（ＩＤ：２５）が付与され、両面コピー設定画面２２６には「２６」という値の識別データＩＤ（ＩＤ：２６）が付与されている。
【００１５】
ここで、この設定メニュー２が、本発明における「階層化設定メニュー」の一具体例に対応する。また、カラーモード設定画面２２１、トレイ選択設定画面２２２、原稿方向設定画面２２３、綴じ代設定画面２２４、集約コピー設定画面２２５および両面コピー設定画面２２６がそれぞれ、本発明における「設定画面」の一具体例に対応する。
【００１６】
ＣＰＵ１１ａは、画像形成装置１全体の動作を制御するものである。ＲＯＭ１１ｂは、画像形成装置１を動作させるための各種のプログラムやデータを格納（記憶）する部分である。ここで、図１に示したように、これらのＣＰＵ１１ａおよびＲＯＭ１１ｂによって、図２に示した制御部１１が構成されている。具体的には、ＲＯＭ１１ｂに格納されていると共にＣＰＵ１１ａによって動作するプログラムの集合（マイクロコンピュータ）によって、制御部１１が構成されている。なお、この制御部１１の詳細構成については、後述する。
【００１７】
ＲＡＭ１２は、各種の情報を一時的に記憶する部分である。このＲＡＭ１２において一時的に生成されて記憶されている情報の一例として、図２に示したカレントパラメータ１２１が挙げられる。カレントパラメータ１２１は、後述する画像形成部１６における各種のジョブ処理の際に使用されるパラメータ（設定項目）の、カレント値（現在値）の集合である。このカレントパラメータ１２１の詳細構成については、後述する（図５）。
【００１８】
ＨＤＤ１３は、各種の情報を永続的に記憶する部分である。このＨＤＤ１３において永続的に記憶されている情報の一例として、図２に示したデフォルトパラメータ１３１および画面データ１３２が挙げられる。デフォルトパラメータ１３１は、上記した各種のジョブ処理の際に使用されるパラメータの、デフォルト値（初期値）の集合である。このデフォルトパラメータ１３１の詳細構成については、後述する（図４）。一方、画面データ１３２は、後述する操作パネル１４上に前述した各画面を描画（表示）する際に用いられる画像データ（例えば、レイアウトデータやオブジェクト（アイコン）データ等）である。なお、このようなＨＤＤ１３の代わりに、各種の半導体メモリ等の他の記録媒体（記録装置）を使用するようにしてもよく、以下同様である。
【００１９】
（デフォルトパラメータ１３１およびカレントパラメータ１２１）
ここで、図４および図５を参照して、上記したデフォルトパラメータ１３１およびカレントパラメータ１２１の詳細構成について説明する。図４は、デフォルトパラメータ１３１の一例を表したものであり、図５は、カレントパラメータ１２１の一例を表したものである。
【００２０】
図４および図５に示したように、デフォルトパラメータ１３１およびカレントパラメータ１２１はそれぞれ、前述した各種の設定画面での設定項目（後述する基本設定項目４１）およびその設定値（設定内容）に対応する、各種のパラメータを含んでいる。具体的には、これらのデフォルトパラメータ１３１およびカレントパラメータ１２１はそれぞれ、設定項目として、カラーモード設定画面２２１における設定項目であるカラーモード３１と、トレイ選択設定画面２２２における設定項目であるトレイ選択３２と、原稿方向設定画面２２３における設定項目である原稿方向３３とを有している。また、同じく設定項目として、綴じ代設定画面２２４における設定項目である綴じ代３４と、集約コピー設定画面２２５における設定項目である集約コピー３５と、両面コピー設定画面２２６における設定項目である両面コピー３６とを有している。
【００２１】
図４に示したように、この例では、デフォルトパラメータ１３１におけるこれらの設定項目の設定値（初期値）は、以下の通りとなっている。
・カラーモード３１  ……  「カラー」
・トレイ選択３２  ……  「自動選択」
・原稿方向３３  ……  「上辺を奥向き」
・綴じ代３４  ……  （表面の上端，表面の左端，裏面の上端，裏面の左端）
＝（０，０，０，０）（後述する図１２参照）
・集約コピー３５  ……  「ＯＦＦ」（機能停止状態）
・両面コピー３６  ……  「ＯＦＦ」
【００２２】
また、図５に示したように、この例では、カレントパラメータ１２１におけるこれらの設定項目の設定値（現在値）は、以下の通りとなっている。
・カラーモード３１  ……  「カラー」
・トレイ選択３２  ……  「トレイ１」
・原稿方向３３  ……  「上辺を奥向き」
・綴じ代３４  ……  （表面の上端，表面の左端，裏面の上端，裏面の左端）
＝（０，０，０，０）
・集約コピー３５  ……  「ＯＦＦ」
・両面コピー３６  ……  「長辺とじ」
【００２３】
つまり、この例では図５中の符号Ｐ１１，Ｐ１２で示したように、カレントパラメータ１２１におけるトレイ選択３２および両面コピー３６の設定値がそれぞれ、デフォルトパラメータ１３１におけるこれらの設定値から変更されている。このように、カレントパラメータ１２１には、デフォルトパラメータ１３１における各設定値を初期値としてユーザにより随時変更された設定値（現在値）が記憶されるようになっている。
【００２４】
操作パネル１４は、図２に示したように、画像形成装置１のユーザによる操作に応じて操作信号Ｓｍを生成し、その操作信号Ｓｍを制御部１１（後述する表示制御部１１１）へ供給する機能（操作入力機能）を有している。また、この操作パネル１４は、この制御部１１（表示制御部１１１）による表示制御（制御部１１から供給される表示制御信号Ｓｄ）に従って、設定メニュー２における前述した各設定画面（図３参照）の表示を行う機能（画像表示機能）を有している。このような操作パネル１４は、例えば、各種方式によるタッチパネルを用いて構成されている。このようなタッチパネルとしては、例えば、液晶ディスプレイや有機ＥＬ（Electro Luminescence）ディスプレイ等を用いたタッチパネルが挙げられる。
【００２５】
ネットワークインタフェース１５は、図１に示したように、既知の各種通信技術を用いることで、外部のネットワーク９を介して各種のデータを送受信するためのインタフェース部分である。なお、このネットワーク９は、有線のネットワーク、あるいは、無線のネットワークのいずれであってもよい。
【００２６】
（画像形成部１６）
画像形成部１６は、図１および図２に示したように、この例では、プリント装置１６１、スキャン装置１６２およびファックス装置１６３を有している。すなわち、この例では画像形成部１６は、プリント機能、スキャン機能およびファックス機能の各機能を複合的に有している（複合機能を有している）。
【００２７】
プリント装置１６１は、既知の各種印刷技術を利用して、印刷媒体（紙媒体等）に対して画像を印刷する装置（プリント機能を有する装置）である。
【００２８】
スキャン装置１６２は、既知の各種の光学的読取技術を利用して、読取対象物（紙媒体等）から画像データを読み取る装置（スキャン機能を有する装置）である。
【００２９】
ファックス装置１６３は、既知の各種通信技術を利用することで、ネットワーク９に含まれる電話回線を介して、画像データの送受信を行う装置（ファックス機能を有する装置）である。
【００３０】
（制御部１１）
続いて、図２を参照して、前述した制御部１１の詳細構成例（機能ブロック構成例）について説明する。
【００３１】
制御部１１は、操作パネル１４から供給される操作信号Ｓｍに基づいて、設定メニュー２における前述の各設定画面（カラーモード設定画面２２１、トレイ選択設定画面２２２、原稿方向設定画面２２３、綴じ代設定画面２２４、集約コピー設定画面２２５および両面コピー設定画面２２６）の表示制御を行うものである。具体的には、制御部１１は、前述した各種のデータ（画面データ１３２およびカレントパラメータ１２１等）を用いて表示制御信号Ｓｄを生成し、その表示制御信号Ｓｄを操作パネル１４へ出力することによって、この操作パネル１４上での各設定画面の表示制御を行うようになっている。
【００３２】
この制御部１１は、図２に示したように、表示制御部１１１、パラメータ管理部１１２およびジョブ制御部１１３を有している。
【００３３】
表示制御部１１１は、以下説明するパラメータ管理部１１２およびジョブ制御部１１３と連携することで、操作信号Ｓｍ、画面データ１３２およびカレントパラメータ１２１等を用いて上記した表示制御信号Ｓｄを生成し、操作パネル１４へ出力する部分である。
【００３４】
パラメータ管理部１１２は、画像形成部１６における各種のジョブ処理の際に使用される各種のパラメータ（例えば、前述したデフォルトパラメータ１３１およびカレントパラメータ１２１等）を管理する部分である。
【００３５】
ジョブ制御部１１３は、パラメータ管理部１１２において管理されている各種のパラメータ（例えばカレントパラメータ１２１）を使用して、画像形成部１６における各種のジョブ処理（画像処理等）を実行させる部分である。具体的には、このジョブ制御部１１３は、画像形成部１６内のプリント装置１６１、スキャン装置１６２およびファックス装置１６３における各種のジョブ処理を、個別に実行制御するようになっている。
【００３６】
ここで、本実施の形態の制御部１１は、設定メニュー２における前述の複数の設定画面（カラーモード設定画面２２１、トレイ選択設定画面２２２、原稿方向設定画面２２３、綴じ代設定画面２２４、集約コピー設定画面２２５および両面コピー設定画面２２６）のうちの一の設定画面を表示する際に、以下のように表示制御を行う。すなわち、これら複数の設定画面のうちの他の設定画面に属する基本設定項目４１（後出）が、この一の設定画面に属する基本設定項目４１と関連した設定項目（関連設定項目４２：後出）として、その一の設定画面に属する基本設定項目４１と対応付けられている場合には、制御部１１は以下のようにする。つまり、制御部１１は、この一の設定画面内に、基本設定項目４１とともに、関連設定項目４２における項目内容４２１（後出）およびその設定内容４２２（後出）がそれぞれ表示されるように、表示制御を行う。なお、このような制御部１１による表示制御動作の詳細については、後述する。
【００３７】
［作用・効果］
（Ａ．基本動作）
この画像形成装置１では、図２に示したように、ジョブ制御部１１３が、パラメータ管理部１１２において管理されている各種のパラメータ（例えばカレントパラメータ１２１）を使用して、画像形成部１６における各種のジョブ処理を実行させる制御を行う。これにより、画像形成部１６内のプリント装置１６１、スキャン装置１６２およびファックス装置１６３では、それらのプリント機能、スキャン機能およびファックス機能の各機能が実行され、画像形成動作がなされる。
【００３８】
また、画像形成装置１では、図２に示したように、ユーザによる操作パネル１４への操作に応じて、この操作パネル１４において操作信号Ｓｍが生成され、制御部１１内の表示制御部１１１へ供給される。表示制御部１１１は、この操作信号Ｓｍと、画面データ１３２およびカレントパラメータ１２１等とを用いて表示制御信号Ｓｄを生成し、その表示制御信号Ｓｄを操作パネル１４へ出力する。操作パネル１４では、この表示制御信号Ｓｄに従って、設定メニュー２における前述した各設定画面（図３参照）の表示が行われる。このようにして、制御部１１（表示制御部１１１）による、操作パネル１４上での各設定画面の表示制御がなされる。
【００３９】
（Ｂ．ホーム画面２０およびコピー画面２１の表示制御動作）
次いで、図６〜図８を参照して、制御部１１による、前述したホーム画面２０およびコピー画面２１の表示制御動作について説明する。
【００４０】
図６は、図３に示したホーム画面２０の構成例（表示例）を拡大して模式的に表したものであり、図７は、図３に示したコピー画面２１の構成例を拡大して模式的に表したものである。
【００４１】
（ホーム画面２０）
まず、制御部１１は、例えば図６に示したホーム画面２０が操作パネル１４に表示されるよう、表示制御を行う。具体的には、制御部１１は、コピーボタン２０ａ、ファックス送信ボタン２０ｂおよびメール送信ボタン２０ｃがそれぞれ、ホーム画面２０内に並んで配置されるよう、表示制御を行う。これらのボタンはそれぞれ、画像形成装置１におけるコピー機能、ファックス送信機能、メール送信機能での設定を行うための画面を表示させる（これらの画面へ遷移させる）ためのボタンである。ここで、例えばコピーボタン２０ａがユーザによって押下された場合、制御部１１は、コピー機能での設定を行うための画面（コピー画面２１）へと遷移するよう、表示制御を行う。
【００４２】
（コピー画面２１）
すなわち、このとき制御部１１は、例えば図７に示したコピー画面２１が操作パネル１４に表示されるよう、表示制御を行う。具体的には、制御部１１は、カラーモードボタン２１ａ、トレイ選択ボタン２１ｂ、原稿方向ボタン２１ｃ、綴じ代ボタン２１ｄ、集約コピーボタン２１ｅおよび両面コピーボタン２１ｆがそれぞれ、コピー画面２１内に並んで配置されるよう、表示制御を行う。これらのボタンはそれぞれ、前述の図３に示した、カラーモード設定画面２２１、トレイ選択設定画面２２２、原稿方向設定画面２２３、綴じ代設定画面２２４、集約コピー設定画面２２５および両面コピー設定画面２２６を表示させるためのボタンである。以下、これらのボタンの総称として、「設定画面表示ボタン」という用語を適宜使用する。また、上記した各設定画面の総称として、以下、「設定画面」という用語を適宜使用する。
【００４３】
また、このとき制御部１１は、図７に示したように、開始ボタン２１ｘおよび戻るボタン２１ｙがそれぞれ、コピー画面２１内（この例ではそれぞれ、右下領域および左下領域）に表示されるよう、表示制御行う。なお、開始ボタン２１ｘは、画像形成部１６においてコピー（コピー機能のジョブ処理）の実行を開始させるためのボタンである。また、戻るボタン２１ｙは、そのようなコピーを実行させることなく上記したホーム画面２０へと戻る（再びホーム画面２０が表示される）ようにするためのボタンである。
【００４４】
（具体的な表示制御動作）
ここで図８は、このようなコピー画面２１に対するユーザの操作時における、制御部１１による表示制御動作の一例を流れ図で表したものである。
【００４５】
この例では、まず、制御部１１内の表示制御部１１１は、パラメータ管理部１１２に対して、現時点でのカレントパラメータ１２１（例えば前述の図５参照）の生成を要求する。すると、パラメータ管理部１１２は、ＨＤＤ１３内のデフォルトパラメータ１３１（例えば前述の図４参照）の内容を初期値として、ＲＡＭ１２内に、現時点でのカレントパラメータ１２１を生成する（図８のステップＳ１１）。
【００４６】
次いで、表示制御部１１１は、操作信号Ｓｍに基づいて、コピー画面２１内の設定画面表示ボタンがユーザによって押下されたのか否かを判定する（ステップＳ１２）。ここで、設定画面表示ボタンが押下されたと判定した場合（ステップＳ１２：Ｙ）、次に表示制御部１１１は、押下された設定画面表示ボタンの種類に応じて、例えば図３中に示した、対応する設定画面が表示されるよう、表示制御を行う（ステップＳ１３）。なお、このときの各設定画面の表示制御動作例については、後述する（図９〜図１４，図１６等）。
【００４７】
一方、設定画面表示ボタンが押下されていないと判定した場合（ステップＳ１２：Ｎ）、次に表示制御部１１１は、操作信号Ｓｍに基づいて、コピー画面２１内の開始ボタン２１ｘがユーザによって押下されたのか否かを判定する（ステップＳ１４）。ここで、開始ボタン２１ｘが押下されたと判定した場合（ステップＳ１４：Ｙ）、次に表示制御部１１１は、ジョブ制御部１１３に対して、コピーの実行を要求する。すると、ジョブ制御部１１３は、パラメータ管理部１１２において管理されているカレントパラメータ１２１を用いて、画像形成部１６内のスキャン装置１６２およびプリント装置１６１に対して、コピーが実行されるようにジョブ制御を行う（ステップＳ１５）。なお、そのコピーの実行が完了すると、ジョブ制御部１１３は表示制御部１１１に対して、コピー完了の通知を行う。
【００４８】
このコピー完了の通知を受けると、表示制御部１１１は、パラメータ管理部１１２に対してカレントパラメータ１２１の削除を要求する。すると、パラメータ管理部１１２は、ＲＡＭ１２内のカレントパラメータ１２１を削除する（ステップＳ１７）。なお、その後は、表示制御部１１１はホーム画面２０へと戻るよう（ホーム画面２０が再び表示されるよう）に表示制御を行うことで、図８に示したコピー画面２１の表示制御動作が終了となる。
【００４９】
一方、ステップＳ１４において、開始ボタン２１ｘが押下されていないと判定した場合（ステップＳ１４：Ｎ）、次に表示制御部１１１は、操作信号Ｓｍに基づいて、コピー画面２１内の戻るボタン２１ｙがユーザによって押下されたのか否かを判定する（ステップＳ１６）。ここで、戻るボタン２１ｙが押下されていないと判定した場合（ステップＳ１６：Ｎ）、ステップＳ１２へと戻る。一方、戻るボタン２１ｙが押下されたと判定した場合（ステップＳ１６：Ｙ）、次に表示制御部１１１は、コピーを実行させずに、パラメータ管理部１１２に対してカレントパラメータ１２１の削除を要求する。すると、パラメータ管理部１１２は、ＲＡＭ１２内のカレントパラメータ１２１を削除する（ステップＳ１７）。なお、その後は、上記したように、表示制御部１１１はホーム画面２０へと戻るように表示制御を行うことで、図８に示したコピー画面２１の表示制御動作が終了となる。
【００５０】
（Ｃ．設定画面の表示制御動作）
続いて、図９〜図２０を参照して、制御部１１による各設定画面の表示制御動作について、比較例（図１５）と比較しつつ説明する。
【００５１】
（Ｃ−１．各設定画面の表示例）
図９は、図３に示したカラーモード設定画面２２１の構成例（表示例）を拡大して模式的に表したものであり、図１０は、図３に示したトレイ選択設定画面２２２の構成例を拡大して模式的に表したものであり、図１１は、図３に示した原稿方向設定画面２２３の構成例を拡大して模式的に表したものである。また、図１２は、図３に示した綴じ代設定画面２２４の構成例を拡大して模式的に表したものであり、図１３は、図３に示した集約コピー設定画面２２５の構成例を拡大して模式的に表したものであり、図１４は、図３に示した両面コピー設定画面２２６の構成例を拡大して模式的に表したものである。
【００５２】
（カラーモード設定画面２２１）
制御部１１は、前述したカラーモードボタン２１ａがユーザによって押下された場合、例えば図９に示したカラーモード設定画面２２１が操作パネル１４に表示されるよう、表示制御を行う。具体的には、制御部１１は、カラーボタン２２１ａおよびモノクロボタン２２１ｂがそれぞれ、カラーモード設定画面２２１内に並んで配置されるよう、表示制御を行う。これらのボタンはそれぞれ、画像形成装置１においてコピーを行う際に、カラーモード（カラーでのコピーを行うモード）およびモノクロモード（モノクロでのコピーを行うモード）に設定するためのボタンである。また、このようなカラーモードおよびモノクロモードに関する設定項目は、このカラーモード設定画面２２１に属する基本設定項目４１に該当する。なお、例えば図９中の符号Ｐ２で示した、ボタンの右上の黒三角印は、現在設定されているモードを表しており、以降の他の設定画面においても同様である。
【００５３】
また、このとき制御部１１は、図９に示したように、これらカラーボタン２２１ａおよびモノクロボタン２２１ｂの近傍（この例では上側）に、カラーモードおよびモノクロモードについて直感的にユーザへ示すためのオブジェクトＩ１ａ，Ｉ１ｂがそれぞれ表示されるよう、表示制御を行う。
【００５４】
更に、制御部１１は、図９に示したように、ＯＫボタン２２１ｘおよびＣａｎｃｅｌボタン２２１ｙがそれぞれ、カラーモード設定画面２２１内（この例ではそれぞれ、右下領域および左下領域）に表示されるよう、表示制御行う。なお、ＯＫボタン２２１ｘは、このカラーモード設定画面２２１内での設定変更を反映させるためのボタンである。また、Ｃａｎｃｅｌボタン２２１ｙは、カラーモード設定画面２２１内での設定変更を反映せずに（キャンセルして）、上記したコピー画面２１へと戻る（再びコピー画面２１が表示される）ようにするためのボタンである。
【００５５】
（トレイ選択設定画面２２２）
また、制御部１１は、前述したトレイ選択ボタン２１ｂがユーザによって押下された場合、例えば図１０に示したトレイ選択設定画面２２２が操作パネル１４に表示されるよう、表示制御を行う。具体的には、制御部１１は、自動選択ボタン２２２ａ、トレイ１ボタン２２２ｂおよびトレイ２ボタン２２２ｃがそれぞれ、トレイ選択設定画面２２２内に並んで配置されるよう、表示制御を行う。これらのボタンはそれぞれ、画像形成装置１においてコピーを行う際に、印刷対象の用紙の供給元トレイについて設定するためのボタンである。また、このような印刷対象の用紙の供給元トレイ（トレイ選択）に関する設定項目は、このトレイ選択設定画面２２２に属する基本設定項目４１に該当する。
【００５６】
また、このとき制御部１１は、図１０に示したように、これら自動選択ボタン２２２ａ、トレイ１ボタン２２２ｂおよびトレイ２ボタン２２２ｃとともに、印刷対象の用紙の供給元トレイについて直感的にユーザへ示すためのオブジェクトＩ２が表示されるよう、表示制御を行う。
【００５７】
更に、制御部１１は、図１０に示したように、ＯＫボタン２２２ｘおよびＣａｎｃｅｌボタン２２２ｙがそれぞれ、トレイ選択設定画面２２２内（この例ではそれぞれ、右下領域および左下領域）に表示されるよう、表示制御行う。なお、ＯＫボタン２２２ｘは、このトレイ選択設定画面２２２内での設定変更を反映させるためのボタンである。また、Ｃａｎｃｅｌボタン２２２ｙは、トレイ選択設定画面２２２内での設定変更を反映せずに、上記したコピー画面２１へと戻るようにするためのボタンである。
【００５８】
（原稿方向設定画面２２３）
更に、制御部１１は、前述した原稿方向ボタン２１ｃがユーザによって押下された場合、例えば図１１に示した原稿方向設定画面２２３が操作パネル１４に表示されるよう、表示制御を行う。具体的には、制御部１１は、「上辺を奥向き」ボタン２２３ａおよび「上辺を左向き」ボタン２２３ｂがそれぞれ、原稿方向設定画面２２３内に並んで配置されるよう、表示制御を行う。これらのボタンはそれぞれ、画像形成装置１においてコピーを行う際の、コピー元の用紙等（原稿）の配置方向（配置させる際の向き）について設定するためのボタンである。また、このような原稿の配置方向（原稿方向）に関する設定項目は、この原稿方向設定画面２２３に属する基本設定項目４１に該当する。
【００５９】
また、このとき制御部１１は、図１１に示したように、これら「上辺を奥向き」ボタン２２３ａおよび「上辺を左向き」ボタン２２３ｂとともに、原稿の配置方向について直感的にユーザへ示すためのオブジェクトＩ３ａ，Ｉ３ｂがそれぞれ表示されるよう、表示制御を行う。ここで、これらのオブジェクトＩ３ａ，Ｉ３ｂはそれぞれ、そのような原稿の配置方向（基本設定項目４１）の内容表示に加え、画像形成装置１（自装置）の使用案内表示をも兼ねたオブジェクトとなっている。具体的には、図１１に示したように、オブジェクトＩ３ａ，Ｉ３ｂはそれぞれ、コピーを行う際の原稿の配置方向に関して、「上辺が奥向き」，「上辺が左向き」とはどのような配置方向を意味しているのか、ユーザへ直感的に案内する表示内容となっている。これにより、原稿方向設定画面２２３に属する基本設定項目４１について、ユーザがより直感的に把握できるようになり、ユーザの利便性が向上する。なお、これらのオブジェクトＩ３ａ，Ｉ３ｂはそれぞれ、本発明における「第３オブジェクト」の一具体例に対応する。
【００６０】
制御部１１はまた、図１１に示したように、ＯＫボタン２２３ｘおよびＣａｎｃｅｌボタン２２３ｙがそれぞれ、原稿方向設定画面２２３内（この例ではそれぞれ、右下領域および左下領域）に表示されるよう、表示制御行う。なお、ＯＫボタン２２３ｘは、この原稿方向設定画面２２３内での設定変更を反映させるためのボタンである。また、Ｃａｎｃｅｌボタン２２３ｙは、原稿方向設定画面２２３内での設定変更を反映せずに、上記したコピー画面２１へと戻るようにするためのボタンである。
【００６１】
ここで、制御部１１は、例えば以下の図１２〜図１４に示した各設定画面を表示する際には、それらの設定画面に属する基本設定項目４１とともに、その基本設定項目４１に関連する設定項目である関連設定項目４２の内容が表示されるよう、表示制御を行う。なお、この関連設定項目４２とは、以下詳述するが、その時点で表示させている設定画面とは異なる、他の設定画面に属する基本設定項目４１となっている。
【００６２】
（綴じ代設定画面２２４）
制御部１１は、前述した綴じ代ボタン２１ｄがユーザによって押下された場合、例えば図１２に示した綴じ代設定画面２２４が操作パネル１４に表示されるよう、表示制御を行う。具体的には、制御部１１は、コピーの際に印刷される用紙の表面および裏面のそれぞれにおける綴じ代（用紙の周辺部分の余白領域）について設定するためのボタンである、オブジェクトＩ４１ａ，Ｉ４１がそれぞれ、綴じ代設定画面２２４内に並んで配置されるよう、表示制御を行う。詳細には、図１２に示したように、オブジェクトＩ４１ａは、用紙の表面における綴じ代（用紙の上端部分および左端部分）の設定を行うためのボタンである。また、オブジェクトＩ４１ｂは、用紙の裏面における綴じ代（用紙の上端部分および左端部分）の設定を行うためのボタンである。このような用紙の綴じ代に関する設定項目は、この綴じ代設定画面２２４に属する基本設定項目４１に該当する。詳細には、図１２に示したように、オブジェクトＩ４１ａを利用した、用紙の表面における綴じ代の設定項目は、基本設定項目４１ａに該当し、オブジェクトＩ４１ｂを利用した、用紙の裏面における綴じ代の設定項目は、基本設定項目４１ｂに該当する。
【００６３】
また、このとき制御部１１は、上記したように、このような綴じ代設定画面２２４における基本設定項目４１とともに、この基本設定項目４１に関連する設定項目である関連設定項目４２の内容が表示されるよう、表示制御を行う。具体的には、この例では図１２に示したように、前述した原稿方向設定画面２２３における基本設定項目４１（原稿の配置方向に関する設定項目）が、この綴じ代設定画面２２４における基本設定項目４１（用紙の綴じ代に関する設定項目）に対する関連設定項目４２として、対応付けられている。そして、制御部１１は、図１２に示したように、この関連設定項目４２における項目内容４２１（「原稿方向」という文字情報）およびその設定内容４２２（この例では「上辺を奥向き」という文字情報）がそれぞれ、綴じ代設定画面２２４内に表示されるよう、表示制御を行う。
【００６４】
なお、この場合、綴じ代設定画面２２４が、本発明における「一の設定画面」の一具体例に対応し、原稿方向設定画面２２３が、本発明における「他の設定画面」の一具体例に対応する。
【００６５】
ここで、制御部１１はまた、このような関連設定項目４２における項目内容４２１およびその設定内容４２２がそれぞれ、例えば図１２に示したようなオブジェクトＩ４２を含んで表示されるように（ここでは併用して表示されるように）、表示制御を行う。これにより、関連設定項目４２における項目内容４２１およびその設定内容４２２の各々について、ユーザがより直感的に把握できるようになり、ユーザの利便性が向上する。また、このオブジェクトＩ４２は、前述したオブジェクトＩ３ａ，Ｉ３ｂと同様に、原稿の配置方向の内容表示に加え、画像形成装置１の使用案内表示をも兼ねたオブジェクトとなっているため、その点でも前述したように、ユーザの利便性が向上する。このように、オブジェクトＩ４２は、本発明における「第２オブジェクト」および「第３オブジェクト」の一具体例に対応している。
【００６６】
このとき、制御部１１はまた、例えば図１２に示したように、綴じ代設定画面２２４内に、この綴じ代設定画面２２４から原稿方向設定画面２２３への遷移（表示切換）を実行させるための設定変更ボタン４２３（遷移操作ボタン）が更に表示されるように、表示制御を行う。この設定変更ボタン４２３は、この例では図１２に示したように、ボタン状のオブジェクトを用いて構成されている。このような設定変更ボタン４２３が綴じ代設定画面２２４内に表示されていることにより、詳細は後述するが（図１６参照）、設定メニュー２における階層構造を上下することなく、関連設定項目４２が属する他の設定画面（原稿方向設定画面４２３）へ直接遷移することができる。つまり、上位階層であるコピー画面２１を経由することなく、綴じ代設定画面２２４から原稿方向設定画面２２３へ直接遷移できるようになる。したがって、ユーザの操作手順が低減され、利便性がより向上する。なお、この設定変更ボタン４２３は、本発明における「遷移操作部」および「ボタン状の第１オブジェクト」の一具体例に対応し、以降も同様である。
【００６７】
ここで、制御部１１はまた、図１２に示したように、ＯＫボタン２２４ｘおよびＣａｎｃｅｌボタン２２４ｙがそれぞれ、綴じ代設定画面２２４内（この例ではそれぞれ、右下領域および左下領域）に表示されるよう、表示制御行う。なお、ＯＫボタン２２４ｘは、この綴じ代設定画面２２４内での設定変更を反映させるためのボタンである。また、Ｃａｎｃｅｌボタン２２４ｙは、綴じ代設定画面２２４内での設定変更を反映せずに、上記したコピー画面２１へと戻るようにするためのボタンである。
【００６８】
（集約コピー設定画面２２５）
また、制御部１１は、前述した集約コピーボタン２１ｅがユーザによって押下された場合、例えば図１３に示した集約コピー設定画面２２５が操作パネル１４に表示されるよう、表示制御を行う。具体的には、制御部１１は、ＯＦＦボタン２２５ａ、「２ in １」ボタン２２５ｂ、「４ in １」ボタン２２５ｃおよび「８ in １」ボタン２２５ｄがそれぞれ、集約コピー設定画面２２５内に並んで配置されるよう、表示制御を行う。これらのボタンはそれぞれ、画像形成装置１において、複数の原稿の内容を１枚の用紙内に集約させてコピーする（集約コピーを行う）際の設定をするためのボタンである。詳細には、ＯＦＦボタン２２５ａは、このような集約コピーの機能をオフ（無効）に設定するためのボタンである。また、「２ in １」ボタン２２５ｂ、「４ in １」ボタン２２５ｃおよび「８ in １」ボタン２２５ｄはそれぞれ、２枚の原稿、４枚の原稿または８枚の原稿の内容が１枚の用紙内に集約されるように設定するためのボタンである。このような集約コピーに関する設定項目は、この集約コピー設定画面２２５に属する基本設定項目４１に該当する。
【００６９】
また、このとき制御部１１は、このような集約コピー設定画面２２５における基本設定項目４１とともに、この基本設定項目４１に関連する設定項目である関連設定項目の内容が表示されるよう、表示制御を行う。具体的には、この例では図１３に示したように、以下の３種類の関連設定項目４２ａ，４２ｂ，４２ｃが、集約コピー設定画面２２５における基本設定項目４１と対応付けられて表示されている。詳細には、前述したトレイ選択設定画面２２２における基本設定項目４１（トレイ選択に関する設定項目）が、この集約コピー設定画面２２５における基本設定項目４１（集約コピーに関する設定項目）に対する関連設定項目４２ａとして、対応付けられている。また、後述する両面コピー設定画面２２６における基本設定項目４１（両面コピーに関する設定項目）が、この集約コピー設定画面２２５における基本設定項目４１に対する関連設定項目４２ｂとして、対応付けられている。更に、前述した原稿方向設定画面２２３における基本設定項目４１（原稿の配置方向に関する設定項目）が、この集約コピー設定画面２２５における基本設定項目４１に対する関連設定項目４２ｃとして、対応付けられている。
【００７０】
なお、この場合、集約コピー設定画面２２５が、本発明における「一の設定画面」の一具体例に対応する。また、トレイ選択設定画面２２２、両面コピー設定画面２２６および原稿方向設定画面２２３がそれぞれ、本発明における「他の設定画面」の一具体例に対応する。
【００７１】
そして、制御部１１は、図１３に示したように、これらの関連設定項目４２ａ，４２ｂ，４２ｃにおける項目内容４２１およびその設定内容４２２がそれぞれ、集約コピー設定画面２２５内に表示されるよう、表示制御を行う。具体的には、制御部１１は、関連設定項目４２ａにおける項目内容４２１（「トレイ選択」という文字情報）およびその設定内容４２２（この例では「トレイ１」という文字情報）がそれぞれ表示されるよう、表示制御を行う。また、制御部１１は、関連設定項目４２ｂにおける項目内容４２１（「両面コピー」という文字情報）およびその設定内容４２２（この例では「長辺とじ」という文字情報）がそれぞれ表示されるよう、表示制御を行う。更に、制御部１１は、関連設定項目４２ｃにおける項目内容４２１（「原稿方向」という文字情報）およびその設定内容４２２（この例では「上辺を奥向き」という文字情報）がそれぞれ表示されるよう、表示制御を行う。
【００７２】
ここで、制御部１１はまた、このような関連設定項目４２ａ，４２ｂ，４２ｃにおける項目内容４２１およびその設定内容４２２がそれぞれ、例えば図１３に示したようなオブジェクトＩ５ａ，Ｉ５ｂ，Ｉ５ｃを含んで表示されるように（ここでは併用して表示されるように）、表示制御を行う。これにより、関連設定項目４２ａ，４２ｂ，４２ｃにおける項目内容４２１およびその設定内容４２２の各々について、ユーザがより直感的に把握できるようになり、ユーザの利便性が向上する。また、これらのうち、オブジェクトＩ５ｃは特に、前述したオブジェクトＩ３ａ，Ｉ３ｂ，Ｉ４２と同様に、原稿の配置方向の内容表示に加え、画像形成装置１の使用案内表示をも兼ねたオブジェクトとなっているため、その点でも前述したように、ユーザの利便性が向上する。このように、オブジェクトＩ５ａ，Ｉ５ｂ，Ｉ５ｃはそれぞれ、本発明における「第２オブジェクト」の一具体例に対応すると共に、オブジェクトＩ５ｃは、本発明における「第３オブジェクト」の一具体例にも対応している。
【００７３】
このとき、制御部１１はまた、例えば図１３に示したように、集約コピー設定画面２２５内に、この集約コピー設定画面２２５から各関連設定項目４２ａ，４２ｂ，４２ｃが属する設定画面への遷移（表示切換）を実行させるための設定変更ボタン４２３が更に表示されるように、表示制御を行う。具体的には、制御部１１は、集約コピー設定画面２２５から関連設定項目４２ａが属する設定画面（トレイ選択設定画面２２２）への遷移を実行させるための設定変更ボタン４２３が更に表示されるように、表示制御を行う。また、制御部１１は、集約コピー設定画面２２５から関連設定項目４２ｂが属する設定画面（両面コピー設定画面２２６）への遷移を実行させるための設定変更ボタン４２３が更に表示されるように、表示制御を行う。更に、制御部１１は、集約コピー設定画面２２５から関連設定項目４２ｃが属する設定画面（原稿方向設定画面２２３）への遷移を実行させるための設定変更ボタン４２３が更に表示されるように、表示制御を行う。これらの各設定変更ボタン４２３はそれぞれ、この例では図１３に示したように、ボタン状のオブジェクトを用いて構成されている。このような設定変更ボタン４２３が集約コピー設定画面２２５内に表示されていることにより、詳細は後述するが（図１６参照）、設定メニュー２における階層構造を上下することなく、各関連設定項目４２ａ，４２ｂ，４２ｃが属する他の設定画面（上述）へ直接遷移することができる。したがって、この場合も前述したのと同様に、ユーザの操作手順が低減され、利便性がより向上する。
【００７４】
ここで、制御部１１はまた、図１３に示したように、ＯＫボタン２２５ｘおよびＣａｎｃｅｌボタン２２５ｙがそれぞれ、集約コピー設定画面２２５内（この例ではそれぞれ、右下領域および左下領域）に表示されるよう、表示制御行う。なお、ＯＫボタン２２５ｘは、この集約コピー設定画面２２５内での設定変更を反映させるためのボタンである。また、Ｃａｎｃｅｌボタン２２５ｙは、集約コピー設定画面２２５内での設定変更を反映せずに、上記したコピー画面２１へと戻るようにするためのボタンである。
【００７５】
（両面コピー設定画面２２６）
更に、制御部１１は、前述した両面コピーボタン２１ｆがユーザによって押下された場合、例えば図１４に示した両面コピー設定画面２２６が操作パネル１４に表示されるよう、表示制御を行う。具体的には、制御部１１は、ＯＦＦボタン２２６ａ、長辺とじボタン２２６ｂおよび短辺とじボタン２２６ｃがそれぞれ、両面コピー設定画面２２６内に並んで配置されるよう、表示制御を行う。これらのボタンはそれぞれ、画像形成装置１において両面コピーを行う際の設定をするためのボタンである。詳細には、ＯＦＦボタン２２６ａは、このような両面コピーの機能をオフ（無効）に設定するためのボタンである。また、長辺とじボタン２２６ｂおよび短辺とじボタン２２６ｃはそれぞれ、両面コピーを行う際の綴じる辺の位置（長辺または短辺）を設定するためのボタンである。このような両面コピーに関する設定項目は、この両面コピー設定画面２２６に属する基本設定項目４１に該当する。
【００７６】
また、このとき制御部１１は、このような両面コピー設定画面２２６における基本設定項目４１とともに、この基本設定項目４１に関連する設定項目である関連設定項目４２の内容が表示されるよう、表示制御を行う。具体的には、この例では図１４に示したように、前述した原稿方向設定画面２２３における基本設定項目４１（原稿の配置方向に関する設定項目）が、この両面コピー設定画面２２６における基本設定項目４１（両面コピーに関する設定項目）に対する関連設定項目４２として、対応付けられている。そして、制御部１１は、図１４に示したように、この関連設定項目４２における項目内容４２１（「原稿方向」という文字情報）およびその設定内容４２２（この例では「上辺を奥向き」という文字情報）がそれぞれ、両面コピー設定画面２２６内に表示されるよう、表示制御を行う。
【００７７】
なお、この場合、両面コピー設定画面２２６が、本発明における「一の設定画面」の一具体例に対応し、原稿方向設定画面２２３が、本発明における「他の設定画面」の一具体例に対応する。
【００７８】
ここで、制御部１１はまた、このような関連設定項目４２における項目内容４２１およびその設定内容４２２がそれぞれ、例えば図１４に示したようなオブジェクトＩ６２を含んで表示されるように（ここでは併用して表示されるように）、表示制御を行う。これにより、関連設定項目４２における項目内容４２１およびその設定内容４２２の各々について、ユーザがより直感的に把握できるようになり、ユーザの利便性が向上する。また、このオブジェクトＩ６２は、前述したオブジェクトＩ３ａ，Ｉ３ｂ，Ｉ４２，Ｉ５ｃと同様に、原稿の配置方向の内容表示に加え、画像形成装置１の使用案内表示をも兼ねたオブジェクトとなっているため、その点でも前述したように、ユーザの利便性が向上する。このように、オブジェクトＩ６２は、本発明における「第２オブジェクト」および「第３オブジェクト」の一具体例に対応している。
【００７９】
このとき、制御部１１はまた、例えば図１４に示したように、両面コピー設定画面２２６内に、この両面コピー設定画面２２６から原稿方向設定画面２２３への遷移（表示切換）を実行させるための設定変更ボタン４２３が更に表示されるように、表示制御を行う。この設定変更ボタン４２３は、この例では図１４に示したように、ボタン状のオブジェクトを用いて構成されている。このような設定変更ボタン４２３が両面コピー設定画面２２６内に表示されていることにより、詳細は後述するが（図１６参照）、設定メニュー２における階層構造を上下することなく、関連設定項目４２が属する他の設定画面（原稿方向設定画面４２３）へ直接遷移することができる。したがって、この場合も前述したのと同様に、ユーザの操作手順が低減され、利便性がより向上する。
【００８０】
ここで、制御部１１はまた、図１４に示したように、ＯＫボタン２２６ｘおよびＣａｎｃｅｌボタン２２６ｙがそれぞれ、両面コピー設定画面２２６内（この例ではそれぞれ、右下領域および左下領域）に表示されるよう、表示制御行う。なお、ＯＫボタン２２６ｘは、この両面コピー設定画面２２６内での設定変更を反映させるためのボタンである。また、Ｃａｎｃｅｌボタン２２６ｙは、両面コピー設定画面２２６内での設定変更を反映せずに、上記したコピー画面２１へと戻るようにするためのボタンである。
【００８１】
このようにして本実施の形態の画像形成装置１では、設定画面を表示する際に、その設定画面に属する基本設定項目４１に対する関連設定項目４２（他の設定画面に属する基本設定項目４１に対応）が存在する場合には、制御部１１は、以下のようにして表示制御を行う。すなわち、制御部１１は、その設定画面に属する基本設定項目４１とともに、関連設定項目４２における項目内容４２１およびその設定内容４２２がそれぞれ、その設定画面内に表示されるように、表示制御を行う。
【００８２】
これにより本実施の形態では、他の設定画面に遷移することなく、関連設定項目４２における項目内容４２１およびその設定内容４２２の双方を確認することができるようになる。つまり、１つの設定画面上で、その設定画面に属する基本設定項目４２１に加え、関連設定項目４２２（項目内容４２１およびその設定内容４２２）も、一見して把握できるようになる。その結果、例えば、設定画面上での設定間違い等が、容易に防止される（例えば、両面コピーの場合に原稿方向を間違えると、期待した印刷結果が得られなくなってしまうこと等が、容易に回避できるようになる）。
【００８３】
なお、これに対して、例えば図１５に示した比較例に係る設定画面（両面コピー設定画面１０６）では、例えば図１４に示した本実施の形態の両面コピー設定画面２２６とは異なり、関連設定画面ボタン１０６ａのみが表示されるため、以下の問題が生じる。すなわち、関連設定項目４２における設定内容４２２が、この関連設定画面ボタン１０６ａを押下して他の設定画面に遷移しないと確認することができなくなる。更に、この関連設定項目４２における項目内容４２１自体が何であるのかが、この両面コピー設定画面１０６では把握することができず、やはり他の設定画面に遷移しないと確認することができないことになる。このように、この比較例に係る両面コピー設定画面１０６では、本実施の形態の両面コピー設定画面２２６とは異なり、１つの設定画面上で、関連設定項目４２２（項目内容４２１およびその設定内容４２２）が把握できず、ユーザの利便性が損なわれることになってしまう。
【００８４】
（Ｃ−２．設定画面の具体的な表示制御動作）
ここで図１６は、制御部１１による各設定画面の表示制御動作の一例を、流れ図で表したものである。なお、この図１６に示した表示制御動作例は、前述の図８に示した設定画面の表示制御動作の一例（ステップＳ１３の詳細動作例）に対応している。
【００８５】
この例では、まず、制御部１１内の表示制御部１１１は、現在の設定画面が、コピー画面２１から起動された（表示切換がなされた）のか否かを判定する（図１６のステップＳ１３１）。言い換えると、表示制御部１１１は、設定画面間での遷移（表示切換）が２回目以降ではないのか否か（２回目以降の遷移ではないのか否か）を判定する。このとき、表示制御部１１１は、現在の設定画面の直前に表示された画面における識別データＩＤ（図３参照）を用いて、このような条件に該当するのか否かを判定する。なお、この場合における「２回目以降の遷移」は、本発明における「所定の条件」および「閾値回数以降の遷移」の一具体例に対応する。
【００８６】
ここで、現在の設定画面がコピー画面２１から起動された（２回目以降の遷移ではない）と判定した場合（ステップＳ１３１：Ｙ）、次に、後述するステップＳ１３２へと移行する。一方、現在の設定画面がコピー画面２１から起動されていない（２回目以降の遷移である）と判定した場合（ステップＳ１３１：Ｎ）、次に表示制御部１１１は、設定画面内における設定変更ボタン４２３を無効化して（押下できない状態に設定し）、この設定変更ボタン４２３を利用した設定画面間での遷移が禁止されるように、表示制御を行う（ステップＳ１３３）。なお、その後は、後述するステップＳ１３２へと移行する。
【００８７】
ここで、このような設定変更ボタン４２３を利用した設定画面間での遷移の禁止機能は、具体的には、例えば以下の通りである。
【００８８】
すなわち、まず、この設定メニュー２の例では、図１７に示したように、各設定画面間での遷移経路が設定されている。具体的には、集約コピー設定画面２２５からトレイ選択設定画面２２２への遷移経路Ｒ５２と、集約コピー設定画面２２５から両面コピー設定画面２２６への遷移経路Ｒ５６と、両面コピー設定画面２２６から原稿方向設定画面２２３への遷移経路Ｒ６３と、集約コピー設定画面２２５から原稿方向設定画面２２３への遷移経路Ｒ５３と、綴じ代設定画面２２４から原稿方向設定画面２２３への遷移経路Ｒ４３とが設定されている。
【００８９】
この場合において、例えば図１８に示したように、現在の設定画面である両面コピー設定画面２２６の直前に表示された画面が、コピー画面２１（識別データＩＤ：１）である場合（図１８中の起動経路Ｒ０６参照）には、以下のようになる。すなわち、この場合、このコピー画面２１は設定画面ではないことから、起動経路Ｒ０６による表示切換は、設定画面間の遷移（表示切換）には該当しない。したがって、例えば、この両面コピー設定画面２２６における設定変更ボタン４２３を利用した、両面コピー設定画面２２６から原稿方向設定画面２２３への遷移（遷移経路Ｒ６３）は、禁止されない（許可される）ことになる（図１８中の「○」印参照）。表示制御部１１１は、この両面コピー設定画面２２６の直前に表示された画面であるコピー画面２１における識別データＩＤ（ＩＤ：１）を用いて、現在の設定画面である両面コピー設定画面２２６が、コピー画面２１から起動された（２回目以降の遷移ではない）と判定する。
【００９０】
一方で、例えば図１９に示したように、現在の設定画面である両面コピー設定画面２２６の直前に表示された画面が、設定画面の１つである集約コピー設定画面２２５（識別データＩＤ：２５）である場合（図１９中の遷移経路Ｒ５６参照）には、以下のようになる。すなわち、この場合、この集約コピー設定画面２２５は設定画面の１つであることから、遷移経路Ｒ５６による表示切換は、設定画面間の遷移（１回目の遷移）に該当する。したがって、この場合には、例えば、この両面コピー設定画面２２６における設定変更ボタン４２３を利用した、両面コピー設定画面２２６から原稿方向設定画面２２３への遷移（遷移経路Ｒ６３）は、禁止される（許可されない）ことになる（図１９中の「×」印参照）。表示制御部１１１は、この両面コピー設定画面２２６の直前に表示された画面（設定画面）である集約コピー設定画面２２５における識別データＩＤ（ＩＤ：２５）を用いて、現在の設定画面である両面コピー設定画面２２６が、コピー画面２１から起動されていない（２回目以降の遷移である）と判定する。
【００９１】
このようにして、設定変更ボタン４２３を利用した設定画面間での遷移が禁止されている場合、表示制御部１１１は、例えば図２０に示したように（両面コピー設定画面２２６における表示例）、表示制御を行う。すなわち、表示制御部１１１は、この例では両面コピー設定画面２２６内における設定変更ボタン４２３が無効化される（押下できない状態に設定される）よう、表示制御を行う。
【００９２】
このようにして、現在の設定画面がコピー画面２１から起動されていない（２回目以降の遷移である）と判定した場合、表示制御部１１１は、設定変更ボタン４２３を利用した設定画面間での遷移が禁止されるよう、表示制御を行う。これにより、設定画面間での遷移が自由にできる（一切禁止されていない）場合での、例えば以下のようなユーザの混乱のおそれが低減し、更なる利便性向上が図られる。すなわち、例えば、現時点で設定メニュー２内のどの階層のどの設定画面に位置するのか（ホーム画面２０への戻る経路）が把握できなくなったり、設定画面間で循環することによって同じ関連設定項目に関して以前設定した値との整合性が取れなくなったり、意図せずに異なる値に上書きしまったりすること等のおそれが低減する。
【００９３】
また、本実施の形態では、表示制御部１１１は、現在の設定画面の直前に表示された画面における識別データＩＤを用いて、現在の設定画面がコピー画面２１から起動されたのか否か（２回目以降の遷移ではないのか否か）を判定するため、以下の利点も得られる。すなわち、後述する変形例１の手法（識別データＩＤの時系列情報を利用して判定する手法）と比べ、利用する識別データＩＤを記憶しておくための容量（メモリ容量）が、少なくて済むようになる（メモリ容量を削減することができる）。
【００９４】
ここで、前述の図１６中のステップＳ１３２では、表示制御部１１１は、操作信号Ｓｍに基づいて、設定画面内の設定変更ボタン４２３がユーザによって押下されたのか否かを判定する。ここで、設定変更ボタン４２３が押下されたと判定した場合（ステップＳ１３２：Ｙ）、次に表示制御部１１１は、押下された設定変更ボタン４２３に応じて、対応する他の設定画面が表示されるよう、表示制御を行う（ステップＳ１３４）。なお、その後は、前述のステップＳ１３１へと戻ることになる。
【００９５】
一方、設定変更ボタン４２３が押下されていないと判定した場合（ステップＳ１３２：Ｎ）、次に表示制御部１１１は、操作信号Ｓｍに基づいて、設定画面内のＯＫボタン（前述）がユーザによって押下されたのか否かを判定する（ステップＳ１３５）。ここで、ＯＫボタンが押下されたと判定した場合（ステップＳ１３５：Ｙ）、次に表示制御部１１１は、ジョブ制御部１１３に対して、基本設定項目４１における設定内容の変更をカレントパラメータ１２１に反映するように要求する。すると、ジョブ制御部１１３は、パラメータ管理部１１２にて管理されているカレントパラメータ１２１において、そのような設定内容の変更を反映させる（ステップＳ１３６）。その後、表示制御部１１１は、コピー画面２１へと戻るよう（コピー画面２１が再び表示されるよう）に表示制御を行うことで、図１６に示した設定画面の表示制御動作が終了となる。ただし、前述のステップＳ１３４において、対応する他の設定画面を表示させていた場合、以下のようになる。すなわち、表示制御部１１１は、他の設定画面から元（遷移元）の設定画面へと戻るよう（元の設定画面が再び表示されるよう）に表制御を行うことで、図１６に示した設定画面の表示制御動作が終了となる。
【００９６】
一方、ステップＳ１３５において、ＯＫボタンが押下されていないと判定した場合（ステップＳ１３５：Ｎ）、次に表示制御部１１１は、操作信号Ｓｍに基づいて、設定画面内のＣａｎｃｅｌボタン（前述）がユーザによって押下されたのか否かを判定する（ステップＳ１３７）。ここで、Ｃａｎｃｅｌボタンが押下されていないと判定した場合（ステップＳ１３７：Ｎ）、ステップＳ１３２へと戻る。一方、Ｃａｎｃｅｌボタンが押下されたと判定した場合（ステップＳ１３７：Ｙ）、次に表示制御部１１１は、基本設定項目４１における設定内容の変更をカレントパラメータ１２１に反映させずに、以下のように表示制御を行う。すなわち、表示制御部１１１は、上記したようにコピー画面２１へと戻るように表示制御を行うことで、図１６に示した設定画面の表示制御動作が終了となる。
【００９７】
以上のように本実施の形態では、設定画面を表示する際に、その設定画面に属する基本設定項目４１に対する関連設定項目４２（他の設定画面に属する基本設定項目４１に対応）が存在する場合には、制御部１１は、以下のようにして表示制御を行う。すなわち、制御部１１は、その設定画面に属する基本設定項目４１とともに、関連設定項目４２における項目内容４２１およびその設定内容４２２がそれぞれ、その設定画面内に表示されるように、表示制御を行う。これにより、他の設定画面に遷移することなく、関連設定項目４２における項目内容４２１およびその設定内容４２２の双方を確認することができるようになる。よって、関連設定項目４２の内容を把握する際に、他の設定画面への遷移操作が不要となり、ユーザの利便性を向上させることが可能となる。
【００９８】
＜２．変形例＞
続いて、上記実施の形態の変形例（変形例１〜４）について説明する。なお、実施の形態における構成要素と同一のものには同一の符号を付し、適宜説明を省略する。
【００９９】
［変形例１］
図２１は、変形例１に係る設定メニュー（設定メニュー２Ａ）の構成例を模式的に表したものである。本変形例の設定メニュー２Ａは、最上位階層に位置するホーム画面２０と、中間階層に位置するコピー画面２１Ａと、最下位階層に位置する複数（６つ）の各種の設定画面２２１Ａ，２２２Ａ，２２３Ａ，２２４Ａ，２２５Ａ，２２６Ａにより構成されている。なお、本変形例におけるコピー画面２１Ａおよび設定画面２２１Ａ，２２２Ａ，２２３Ａ，２２４Ａ，２２５Ａ，２２６Ａはそれぞれ、上記実施の形態とは異なり、ここでは抽象化（一般化）した画面内容で示している。なお、これらの設定画面２２１Ａ，２２２Ａ，２２３Ａ，２２４Ａ，２２５Ａ，２２６Ａはそれぞれ、本発明における「設定画面」の一具体例に対応する。
【０１００】
そして、本変形例の制御部１１は、上記実施の形態とは異なり、以下の手法を用いて、設定変更ボタン４２３を利用した設定画面間での遷移の禁止機能を実現している。すなわち、本変形例では、制御部１１内の表示制御部１１１は、所定の遷移経路の経由に該当すると判定された場合に、設定変更ボタン４２３を利用した設定画面間での遷移が禁止されるよう、表示制御を行う。また、特に本変形例では、このような所定の遷移経路の一例として、以下説明するような循環経路を用いるようにしている。このような所定の遷移経路（循環経路）の経由は、本発明における「所定の条件」の一具体例に対応する。
【０１０１】
具体的には、この例では図２１に示したように、設定メニュー２Ａにおいて、遷移経路Ｒ３４Ａ，Ｒ４６Ａ，Ｒ６５Ａ，Ｒ５３Ａの順に遷移する経路の場合、始点である設定画面２２３Ａへ戻ってくる循環経路に該当することになる。したがって、その場合には、最後の遷移経路である、設定画面２２５Ａから設定画面２２３Ａへの遷移経路Ｒ５３は、禁止される（許可されない）ことになる（図２１中の「×」印参照）。
【０１０２】
このとき表示制御部１１１は、例えば図２２に示したように、設定画面の遷移履歴に相当する、識別データＩＤの時系列情報Ｉｔを用いて、所定の遷移経路（この例では循環経路）の経由に該当するのか否かを判定する。つまり、この例では図２２中の符号Ｐ３で示したように、表示制御部１１１は、始点である設定画面２２３Ａの識別データＩＤ（ＩＤ：２３）と同一の識別データＩＤに該当するのか否かによって、循環経路に該当するのか否かを判定している。このような識別データＩＤの時系列情報Ｉｔを用いて判定することによって、前述した実施の形態の手法と比べ、利用する識別データＩＤを記憶しておくための容量（メモリ容量）が多くなる（メモリ容量が増加する）ものの、システム（制御部１１における処理）の破綻をより確実に防止することが可能となる。
【０１０３】
このような手法を用いた本変形例においても、基本的には上記実施の形態と同様の作用により、同様の効果を得ることが可能となる。すなわち、例えば、設定変更ボタン４２３を利用した設定画面間での遷移の禁止機能を実現することにより、設定画面間での遷移が自由にできる（一切禁止されていない）場合でのユーザの混乱のおそれを低減し、更なる利便性向上を図ることが可能となる。
【０１０４】
また、特に本変形例では、所定の遷移経路（例えば循環経路）の経由に該当すると判定された場合に、そのような設定画面間での遷移が禁止されるようにしたので、以下の利点も得られる。すなわち、例えば上記実施の形態のように、一律に閾値回数で禁止する場合と比べ、設定メニューの構築態様に応じて、柔軟な禁止条件の設定を実現することができる。
【０１０５】
［変形例２］
図２３は、変形例２に係る画像形成装置（画像形成装置１Ｂ）の概略構成例を物理ブロック図で表したものである。本変形例の画像形成装置１Ｂは、図１および図２に示した実施の形態の画像形成装置１において、以下説明する外部操作端末機８内に操作パネル１４を設けるようにしたものに対応し、他の構成は基本的には同様となっている。
【０１０６】
具体的には、画像形成装置１Ｂでは、図２３に示したように、操作パネル１４が内蔵されておらず、この画像形成装置１Ｂとは別体の機器である外部操作端末機８内に操作パネル１４が設けられている。換言すると、この操作パネル１４を内蔵する外部操作端末機８と、画像形成装置１から操作パネル１４を除いた構成である画像形成装置１Ｂとにより、画像形成システムが構成されていることになる。そして、この外部操作端末機８と画像形成装置１Ｂとの間の信号（操作信号Ｓｍ，表示制御信号Ｓｄ等）の送受信は、例えば、有線や無線の通信でなされている。なお、このような外部操作端末機８としては、例えば、スマートフォンやタブレット等が挙げられる。
【０１０７】
本変形例の画像形成装置１Ｂにおいても、基本的には上記実施の形態と同様の作用により、同様の効果を得ることが可能となる。
【０１０８】
［変形例３，４］
図２４は、変形例３に係る画像処理装置（画像処理装置１Ｃ）の概略構成例を物理ブロック図で表したものである。また、図２５は、変形例４に係る画像処理装置（画像処理装置１Ｄ）の概略構成例を物理ブロック図で表したものである。
【０１０９】
これら変形例３，４の画像処理装置１Ｃ，１Ｄはそれぞれ、これまでに説明した画像形成装置１，１Ｂにおいて、画像形成部１６を設けないようにした（省いた）ものに対応し、他の構成は基本的に同様となっている。
【０１１０】
具体的には、図２４に示した画像処理装置１Ｃは、図１および図２に示した実施の形態の画像形成装置１において、画像形成部１６を設けないようにしたものに対応し、他の構成は基本的に同様となっている。
【０１１１】
一方、図２５に示した画像処理装置１Ｄは、図２３に示した変形例２の画像形成装置１Ｂにおいて、画像形成部１６を設けないようにしたものに対応し、他の構成は基本的に同様となっている。また、換言すると、操作パネル１４を内蔵する外部操作端末機８と、本変形例の画像処理装置１Ｄとにより、画像処理システムが構成されていることになる。
【０１１２】
なお、このような画像処理装置１Ｃ，１Ｄとしては、例えば、ＰＣ（Personal Computer）やタブレット等が挙げられる。
【０１１３】
これらの画像処理装置１Ｃ，１Ｄにおいても、基本的には上記実施の形態等と同様の作用により、同様の効果を得ることが可能となる。
【０１１４】
＜３．その他の変形例＞
以上、実施の形態および変形例を挙げて本発明を説明したが、本発明はこれらの実施の形態等に限定されず、種々の変形が可能である。
【０１１５】
例えば、上記実施の形態等では、設定メニューや設定画面等の構成例について具体的に説明したが、これらの構成については、上記実施の形態等で挙げたものには限られない。同様に、各オブジェクトや文字情報等の構成についても、上記実施の形態等で挙げたものには限られない。
【０１１６】
また、上記実施の形態等では、ＣＰＵ１１ａおよびＲＯＭ１１ｂによって制御部１１が構成されている（ＲＯＭ１１ｂにプログラムの集合が格納されている）場合を例に挙げて説明したが、これには限られない。すなわち、例えば、データの読み出しのみが可能なＲＯＭ１１ｂではなく、データの読み出しおよび書き込み（書き換え）の双方が可能な他の記録装置（例えば、ＨＤＤ１３等）に、そのようなプログラムの集合が格納されているようにしてもよい。
【０１１７】
更に、遷移操作部（設定変更ボタン４２３）を利用した設定画面間での遷移（表示切換）を禁止する条件（所定の条件）としては、上記実施の形態等で説明した手法（閾値回数以降の遷移および所定の遷移経路の経由）には限られず、他の手法を用いてもよい。同様に、閾値回数以降の遷移についても、上記実施の形態で説明した２回目以降の場合には限られず、例えば３回目以降等、任意の閾値回数に設定してもよい。また、所定の遷移経路の経由についても、変形例１で説明した循環経路の経由には限られず、例えば、設定項目同士での矛盾が生じる組合せとなる遷移経路の経由等であってもよい。
【０１１８】
加えて、上記実施の形態等では、設定変更ボタン４２３を利用して他の設定画面へ遷移（表示切換）する手法について説明したが、これには限られない。すなわち、例えば、そのような設定変更ボタン４２３を設定画面内に表示させる代わりに（他の設定画面へ遷移せずに）、その設定画面上で、関連設定項目の設定も直接実行できるようにしてもよい。その場合、１つの設定画面内で関連設定項目の設定も一緒にできるようにするため、例えば、部分的に簡略化された構成からなる関連設定項目の設定画面を、表示するようにする。このような手法を用いるようにした場合、ユーザは、ワンアクションで、関連設定項目の内容把握から設定変更等まで行うことができるようになり、更なる利便性向上を図ることが可能となる。
【０１１９】
また、上記実施の形態等では、画像形成装置や画像処理装置に操作パネルが内蔵されている場合（前者）と、外部操作端末機内に操作パネルが設けられている場合（後者）とについて説明したが、前者の場合においても、外部操作端末機からの操作信号の入力を受け付けるようにしてもよい。すなわち、外部操作端末機からの操作信号入力と、内蔵されている操作パネルからの操作信号入力とを併用する（いずれか一方からの入力も受け付ける）ようにしてもよい。
【０１２０】
更に、上記実施の形態等で説明した一連の処理は、ハードウェア（回路）で行われるようにしてもよいし、ソフトウェア（プログラム）で行われるようにしてもよい。ソフトウェアで行われるようにした場合、そのソフトウェアは、各機能をコンピュータにより実行させるためのプログラム群で構成される。各プログラムは、例えば、上記コンピュータに予め組み込まれて用いられてもよいし、ネットワークや記録媒体から上記コンピュータにインストールして用いられてもよい。
【０１２１】
加えて、上記実施の形態等では、本発明における「画像形成装置」の一具体例として、プリント機能、スキャン機能およびファックス機能をそれぞれ有する複合機として機能する画像形成装置を例に挙げて説明したが、これには限られない。すなわち、それらの機能を単体で有する画像形成装置（例えば、プリンタ、スキャナ、ファックス機、複写機等）においても、本発明を適用することが可能である。
【符号の説明】
【０１２２】
１，１Ｂ…画像形成装置、１Ｃ，１Ｄ…画像処理装置、１１…制御部、１１ａ…ＣＰＵ、１１ｂ…ＲＯＭ、１１１…表示制御部、１１２…パラメータ管理部、１１３…ジョブ制御部、１２…ＲＡＭ、１２１…カレントパラメータ、１３…ＨＤＤ、１３１…デフォルトパラメータ、１３２…画面データ、１４…操作パネル、１５…ネットワークインタフェース、１６…画像形成部、１６１…プリント装置、１６２…スキャン装置、１６３…ファックス装置、２，２Ａ…設定メニュー、２０…ホーム画面、２１，２１Ａ…コピー画面、２２１…カラーモード設定画面、２２２…トレイ選択設定画面、２２３…原稿方向設定画面、２２４…綴じ代設定画面、２２５…集約コピー設定画面、２２６…両面コピー設定画面、２２１Ａ，２２２Ａ，２２３Ａ，２２４Ａ，２２５Ａ，２２６Ａ…設定画面、３１…カラーモード、３２…トレイ選択、３３…原稿方向、３４…綴じ代、３５…集約コピー、３６…両面コピー、４１，４１ａ，４１ｂ…基本設定項目、４２，４２ａ，４２ｂ，４２ｃ…関連設定項目、４２１…項目内容、４２２…設定内容、４２３…設定変更ボタン（遷移操作ボタン）、８…外部操作端末機、９…ネットワーク、Ｓｍ…操作信号、Ｓｄ…表示制御信号、ＩＤ…識別データ、Ｉ１ａ，Ｉ１ｂ，Ｉ２，Ｉ３ａ，Ｉ３ｂ，Ｉ４１ａ，Ｉ４１ｂ，Ｉ４２，Ｉ５ａ，Ｉ５ｂ，Ｉ５ｃ，Ｉ６１ａ，Ｉ６１ｂ，Ｉ６１ｃ，Ｉ６２…オブジェクト、Ｒ０６…起動経路、Ｒ５２，Ｒ４３，Ｒ５３，Ｒ６３，Ｒ３４Ａ，Ｒ４６Ａ，Ｒ５３Ａ，Ｒ６５Ａ…遷移経路、Ｉｔ…時系列情報。
【図１】
2015210559.tif 000003
【図２】
2015210559.tif 000004
【図３】
2015210559.tif 000005
【図４】
2015210559.tif 000006
【図５】
2015210559.tif 000007
【図６】
2015210559.tif 000008
【図７】
2015210559.tif 000009
【図８】
2015210559.tif 000010
【図９】
2015210559.tif 000011
【図１０】
2015210559.tif 000012
【図１１】
2015210559.tif 000013
【図１２】
2015210559.tif 000014
【図１３】
2015210559.tif 000015
【図１４】
2015210559.tif 000016
【図１５】
2015210559.tif 000017
【図１６】
2015210559.tif 000018
【図１７】
2015210559.tif 000019
【図１８】
2015210559.tif 000020
【図１９】
2015210559.tif 000021
【図２０】
2015210559.tif 000022
【図２１】
2015210559.tif 000023
【図２２】
2015210559.tif 000024
【図２３】
2015210559.tif 000025
【図２４】
2015210559.tif 000026
【図２５】
2015210559.tif 000027